(57)【要約】【課題】便器本体の凹部に配設された防露部材によってより効果的に結露の発生を抑止できる壁掛け便器を提供すること。【解決手段】下端側から上方に凹む凹部４ｃによって下方に突出して形成されるトラップ部４ｄを有する便器本体４と、トラップ部４ｄの下面を被覆するように設けられ、トラップ部４ｄの下面に結露が生じることを抑止するための防露部材５０とを備えてなる壁掛け便器２であって、防露部材５０を、トラップ部４ｄの下面を被覆するように配設されるとともに、トラップ部４ｄよりも前方側の便器本体４の下端４ｅよりも下方に突出して配設される皿状部５３ａを備えて形成する。【選択図】図７
2020111922.tif 000002
【特許請求の範囲】
【請求項１】
下端側から上方に凹む凹部によって下方に突出して形成されるトラップ部を有する便器本体と、前記トラップ部の下面を被覆するように設けられ、前記トラップ部の下面に結露が生じることを抑止するための防露部材とを備えてなる壁掛け便器であって、
前記防露部材が、前記トラップ部の下面を被覆するように配設されるとともに、前記トラップ部よりも前方側の前記便器本体の下端よりも下方に突出して配設される皿状部を備えて形成されている、壁掛け便器。
【請求項２】
前記防露部材が、防露部材本体と、前記防露部材本体よりも硬質で前記皿状部の下面を被覆する保護カバーとを備えて形成されている、請求項１に記載の壁掛け便器。
【請求項３】
前記防露部材は、前記防露部材本体と前記保護カバーとが一体形成されている、請求項２に記載の壁掛け便器。
【請求項４】
前記防露部材の前記保護カバーが、上端から横方向に突出するとともに周方向に延びて繋がるフランジ部を備えて形成されている、請求項２または請求項３に記載の壁掛け便器。
【発明の詳細な説明】
【技術分野】
【０００１】
本発明は、壁掛け便器に関する。
【背景技術】
【０００２】
従来、トイレルームの壁側に設置した固定フレームに後端側を接続し、片持ち状態で便器本体を設けてなる壁掛け便器（壁掛け式の便器装置）がある。
【０００３】
この種の壁掛け便器は、例えば、固定フレームの上端側にロータンクを載置して支持するとともに、便器本体の後端側に設けられた排水孔に排水管を接続し、固定フレーム、ロータンク、排水管等を、カウンターパネル（天板）及び前面パネルを備えてなるキャビネット内に納めて構成されている。
【０００４】
これにより、トイレルームに便器本体のみが片持ち状態で露出し、通常の床面設置型の便器と比較し、トイレルーム内の意匠性等をよくすることができる。
【０００５】
ここで、便器本体は、使用者の尿や便などの排泄物を受けるボウル部と、ボウル部から便器本体の後端部側に繋がる排水孔の途中に設けられたトラップ部（排水トラップ）とを備えて形成されている。便器本体は、底部から上方に凹み、下方に開口する凹部を備え、この凹部によって上方から便器本体の底面側の下方に突出するトラップ部が形成されている。
【０００６】
さらに、便器本体には、防露部材が取り付けられている（例えば、特許文献１参照）。
防露部材は、例えば、発泡スチロールなどの断熱材を用いて形成され、陶磁器の便器本体の下面（トラップ部の下面等）を被覆するように凹部の内部に配設されている。このように防露部材を設けることによって、便器本体の下面（表面）に結露が発生することを抑制でき、また、便器本体の下面に結露が発生した場合であっても、結露が水滴となって床面に滴り落ちることを抑えることができる。
【先行技術文献】
【特許文献】
【０００７】
【特許文献１】特開２０１８−７９０５６号公報
【発明の概要】
【発明が解決しようとする課題】
【０００８】
一方、上記従来の壁掛け便器においては、トラップ部を、その下端がトラップ部よりも前方側の便器本体の下端よりも上方に配されるようにし、このように形成したトラップ部の下面を被覆するように防露部材を取り付け、防露部材が凹部の内側に配されるようにしている。
【０００９】
しかしながら、このようにトラップ部を形成すると、凹部内に外気が溜まりやすく、結果、結露が発生しやすくなるおそれがある。
また、片持ち状態の便器本体の下方部分に凹部があることで意匠性が低下するという不都合もある。
【００１０】
本発明は、第一に、便器本体の凹部に配設された防露部材によってより効果的に結露の発生を抑止でき、第二に、意匠性の向上を図ることが可能な壁掛け便器を提供することを目的とする。
【課題を解決するための手段】
【００１１】
本発明者は、便器本体の凹部に配設された防露部材によってより効果的に結露の発生を抑止できる手段を見出し、本発明を完成するに至った。
【００１２】
（１）本発明は、下端側から上方に凹む凹部（例えば、後述の凹部４ｃ）によって下方に突出して形成されるトラップ部（例えば、後述のトラップ部４ｄ）を有する便器本体（例えば、後述の便器本体４）と、前記トラップ部の下面を被覆するように設けられ、前記トラップ部の下面に結露が生じることを抑止するための防露部材（例えば、後述の第１防露部材５０）とを備えてなる壁掛け便器（例えば、後述の壁掛け便器４）であって、前記防露部材が、前記トラップ部の下面を被覆するように配設されるとともに、前記トラップ部よりも前方側の前記便器本体の下端（例えば、後述の下端４ｅ）よりも下方に突出して配設される皿状部（例えば、後述の皿状部５３ａ）を備えて形成されていることを特徴とする。
【００１３】
（２）本発明は、上記（１）において、前記防露部材が、防露部材本体（例えば、後述の防露部材本体５３）と、前記防露部材本体よりも硬質で前記皿状部の下面を被覆する保護カバー（例えば、後述の保護カバー５４）とを備えて形成されていてもよい。
【００１４】
（３）本発明は、上記（２）において、前記防露部材が、前記防露部材本体と前記保護カバーとが一体に形成されていてもよい。
【００１５】
（４）本発明は、上記（２）または（３）において、前記防露部材の前記保護カバーが、上端から横方向に突出するとともに周方向に延びて繋がるフランジ部（例えば、後述のフランジ部５４ｂ）を備えて形成されていてもよい。
【発明の効果】
【００１６】
本発明によれば、便器本体の凹部に配設された防露部材によってより効果的に結露の発生を抑止できとともに、防露部材の皿状部が下方に突出していることによって壁掛け便器（便器本体）の意匠性の向上を図ることが可能になる。
【図面の簡単な説明】
【００１７】
【図１】本発明の一実施形態に係るトイレルーム、壁掛け便器を示す正面図である。
【図２】本発明の一実施形態に係る壁掛け便器を示す平面図である。
【図３】本発明の一実施形態に係る壁掛け便器を示す側面図である。
【図４】本発明の一実施形態に係る壁掛け便器を示す斜視図である。
【図５】本発明の一実施形態に係る壁掛け便器の固定フレームを示す斜視図である。
【図６】本発明の一実施形態に係る壁掛け便器の便器本体（一部、外カバーを取り外した状態）を示す斜視図である。
【図７】本発明の一実施形態に係る壁掛け便器の便器本体を示す側面図（部分断面図）である。
【図８】本発明の一実施形態に係る壁掛け便器の便器本体の後端部側を示す斜視図である。
【図９】本発明の一実施形態に係る壁掛け便器の便器本体の第１防露部材（防露部材）を示す斜視図である。
【図１０】本発明の一実施形態に係る壁掛け便器の便器本体の第２防露部材を示す斜視図である。
【発明を実施するための形態】
【００１８】
以下、図１から図１０を参照し、本発明の一実施形態に係る壁掛け便器（壁掛け式の便器装置）について説明する。
【００１９】
ここで、図１は、本実施形態の壁掛け便器２を設置したトイレルーム１００の内部を示した図であり、本実施形態のトイレルーム１００は、略直方形の空間で、長手方向がトイレルーム１００の手前側の入口（不図示）と入口に対向する奥側の後壁（壁材）１０１とを結ぶ前後方向Ｔ１に沿っている。
【００２０】
トイレルーム１００は、奥側の後壁１０１と、後壁１０１の幅方向Ｔ２の一方と他方の一対の側壁１０２と、出入口用の扉が設けられた前壁（不図示）と、床構造１０３とを備えて構成されている。
【００２１】
また、トイレルーム１００は、図２に示すように、各角部に建築部材の柱材の隅柱１０４を設けて構成され、後壁１０１の壁裏には、幅方向Ｔ２の両角部に設けられた左右一対の隅柱１０４に架け渡すようにして補強下地（補強受け木）１０５が配設されている。また、各隅柱１０４には柱側受け木１０６が取り付けられている。柱側受け木１０６は、上下方向に沿って延設されている。
【００２２】
なお、本実施形態において、上下方向Ｔ３は天地方向であり、幅方向Ｔ２はトイレルーム１００の入口側から後壁１０１に向かって左右を結ぶ横方向を意味する。
【００２３】
そして、トイレルーム１００には、図１から図３に示すように、トイレ用キャビネット３や便器本体４などを備えてなる壁掛け便器２が設置され、奥側の後壁１０１に一体にトイレ用キャビネット３が設けられ、トイレ用キャビネット３の前パネル３ａから便器本体４が片持ち状態で前方に突き出すように設けられている。
【００２４】
具体的に、本実施形態の壁掛け便器２は、便器本体４、便座５及び便蓋６と、便器本体４及びロータンク７等を支持する固定フレーム８と、便器本体４に水を供給するロータンク７及び給水管９からなる給水部１０と、便器本体４から排水本管１１に排水を排出するための排水部１２と、固定フレーム８、給水部１０、排水部１２等を収容するトイレ用キャビネット３とを備えて構成されている。
【００２５】
便器本体４は、図４（及び図６）に示すように、上部が開口し、使用者の尿や便などの排泄物を受ける凹状のボウル部４ａを有する陶器などの容器であり、ボウル部４ａから便器本体４の後端部側に繋がる排水孔（排水口）４ｂの途中に設けられたトラップ部４ｄ（排水トラップ）とを備えて形成されている。
【００２６】
便器本体４は、底部（下端側）から上方に凹み、下方に開口する凹部４ｃを備え、この凹部４ｃによって、底部側に下方に突出するトラップ部４ｄが形成され、排水孔４ｂがトラップ部４ｄを通じて便器本体４の後端側（背面側）に開口形成されている。
【００２７】
図１から図４に示すように、便座５は、便器本体４の上に配設され、使用者が着座する部材であり、便蓋６は、便器本体４のボウル部４ａの上部開口を覆う蓋材であり、それぞれ、便器本体４の後方側に配されたヒンジ部で接続され、ヒンジ部の幅方向Ｔ２に沿う回動軸周りに回動可能、ひいては便器本体４のボウル部４ａを開閉可能に設けられている。
【００２８】
固定フレーム８は、図４及び図５（図１から図３）に示すように、便器本体４の後端側を接続して便器本体４を片持ち状態で支持するとともにロータンク７（給水部１０）を支持するフレーム本体部１５と、フレーム本体部１５を隅柱１０４、補強下地１０５、柱側受け木１０６などの建築部材に接続して支持するための接続支持部１６とを備えて構成されている。
【００２９】
フレーム本体部１５は、幅方向Ｔ２に所定の間隔をあけて立設された一対の縦材（縦桟）１７、１８と、一対の縦材１７、１８の上端部側に接続し、幅方向Ｔ２に延設された横材（上桟）１９と、横材１９よりも下方に配設され、一端を一方の縦材１７に、他端を他方の縦材１８にそれぞれ接続して幅方向Ｔ２に沿って架設された連結横材（下桟）２０とを備えている。
【００３０】
フレーム本体部１５は、例えば、縦材１７、１８が角鋼管、横材１９がＬ字アングル、連結横材２０がコの字型板金を用いて形成されている。なお、横材１９は必ずしもＬ字アングルでなくてもよく、例えば、Ｌ字以外のアングル（他の形鋼材：鋼材に限定する必要もない）であってもよい。
【００３１】
本実施形態のフレーム本体部１５は、横材１９のＬ字アングルの一片部１９ａ側をその板面を前後方向Ｔ１に向け、一対の縦材１７、１８の前面に面接触するように配し、他片部１９ｂ側をその板面を上下方向Ｔ３に向け、一対の縦材１７、１８の上端に当接するように配しつつ、溶接やボルト接合などの適宜手段を用いて、一対の縦材１７、１８に一体に接続固定されている。
【００３２】
フレーム本体部１５は、横材１９が一対の縦材１７、１８の間隔よりも大きな幅寸法（長さ）で形成され、横材１９の一端部側が一方の縦材１７よりも幅方向Ｔ２外側に、横材１９の他端部側が他方の縦材１８よりも幅方向Ｔ２外側にそれぞれ延出して形成されている。これにより、フレーム本体部１５は、略鳥居形を呈するように形成されている。
【００３３】
また、フレーム本体部１５は、一対の縦材１７、１８のそれぞれの所定の高さ位置に、便器固定ボルト２１が前方に突出して取り付けられている。これにより、フレーム本体部１５は、便器本体４の後端側に設けられたボルト挿通孔に便器固定ボルト２１を挿通しナットを締結することによって、フレーム本体部１５の前方側に配された便器本体４を片持ち状態で接続して支持するように構成されている。
【００３４】
フレーム本体部１５には、ロータンク７を支持するタンク支持部材２２が着脱可能に取り付けられている。
【００３５】
タンク支持部材２２は、フレーム本体部１５の後方側でロータンク７を載置台２２ａ上に載置して支持するように形成されており、例えば、一対の縦材１７、１８にそれぞれ穿設されたボルト挿通孔にボルト接合するなどし、フレーム本体部１５の後方側に配設されている。
【００３６】
本実施形態においては、一対の縦材１７、１８にそれぞれ、上下方向Ｔ３に所定の間隔をあけて複数のボルト挿通孔が設けられ、任意のボルト挿通孔を用いてボルト接合することにより、タンク支持部材２２の載置台２２ａの高さ位置ひいてはロータンク７の設置位置を任意に調節できるように構成されている。
【００３７】
フレーム本体部１５には、図３から図５に示すように、便器本体４の排水孔４ｂと、排水本管１１に繋がる排水本管接続部２３とを接続するための排水管接続部材２４が取り付けられている。
【００３８】
排水管接続部材２４は、一対の縦材１７、１８にそれぞれ両側端部を接続して一対の縦材１７、１８の間に架設される固定板部２５を備えている。また、排水管接続部材２４は、略円筒状に形成され、固定板部２５の中央を貫通するように一体に設けられ、フレーム本体部１５の前方側に突出して配された便器排水孔接続部２６を便器本体４の排水孔４ｂに嵌合して固定し、フレーム本体部１５の後方側に突出して配された配管接続部２７に配管２８を嵌合して固定し、便器本体４の排水孔４ｂと排水本管１１とを接続して連通させるように構成されている。
【００３９】
フレーム本体部１５を隅柱１０４、補強下地１０５、柱側受け木１０６などの建築部材に接続して支持するための接続支持部１６は、図５（図２から図４）に示すように、フレーム本体部１５の一対の縦材１７、１８の下端部をトイレルーム１００の床構造１０３に接続するための下側接続部３０と、フレーム本体部１５の横材（上桟）１９を後方の壁裏の建築部材（１０４、１０５、１０６）に接続するための上側接続部３１とを備えている。
なお、本実施形態における「補強木」、「補強下地」、「柱側受け木」は必ずしも木材、木質材でなくてもよく、それぞれ、「補強材」、「補強下地材」、「柱側受け材」を意味する。
【００４０】
下側接続部３０は、各縦材１７、１８の下端に溶接などして取り付けられた取付板３０ａを備え、例えば、取付板３０ａに貫通形成された貫通孔を通じて床構造１０３にビス止めするなどし、フレーム本体部１５を垂直に立設した状態で支持する。
【００４１】
なお、下側接続部３０を接続してフレーム本体部１５を支持する本実施形態の床構造１０３は、例えば木造住宅の場合、２本の平行な大引きと、大引きの上に所定間隔をあけて一体に配設されるとともに大引きと直交して並設された複数の根太と、これら根太の上に取り付けて敷設された耐水合板と、耐水合板の上面全体に貼設された化粧板とを備えて構成されている。
また、床構造１０３には、上面から下面に貫通する排水管挿通孔３２が所定位置に設けられている。
【００４２】
上側接続部３１は、フレーム本体部１５から後方側に間隔をあけて後壁１０１側に配設される補強木３５と、補強木３５とフレーム本体部１５の横材１９とを連結する連結部材３６と、幅方向Ｔ２に沿って水平の横方向に延設された補強木３５の両端部と後壁側の建築部材（１０４、１０５、１０６）とを接続して補強木３５を固定するための固定具３７とを備えて構成されている。
【００４３】
補強木３５は、例えば、矩形平板状に形成され、裏面をトイレルーム１００の後壁１０１の壁材に面接触させ、幅方向Ｔ２の長手方向を水平の横方向に向けて配設される。補強木３５は、フレーム本体部１５の横材１９と対峙する高さ位置に配設される。補強木３５は、トイレルーム１００を構成する後壁１０１の壁材の幅寸法や左右一対の隅柱１０４の間隔に応じ、切断するなどして現場に適した長さに調整して使用される。
【００４４】
連結部材３６は、例えば、全ねじボルト（一部にねじ部を備えたねじボルトであっても構わない）であり、補強木３５の前面にビス止めするなどして固着した板付きナット３８に一端を螺着し、フレーム本体部１５の横材１９の前後方向Ｔ１を向く一片部１９ａに貫通形成したボルト挿通孔に他端側を挿通するとともにナットを螺着して配設される。また、本実施形態では、縦材１７、１８よりも幅方向Ｔ２外側に延出したフレーム本体部１５の横材１９の両端部側（各延出部１９ｃ）にボルト挿通孔が貫通形成され、各ボルト挿通孔に前後方向Ｔ１に対向する補強木３５の位置に板付きナット３８が配設されている。
【００４５】
これにより、左右一対の全ねじボルトである連結部材３６は、同高さ位置で平行に配設（並設）されるとともに、フレーム本体部１５の一対の縦材１７、１８の間隔よりも大きな所定の間隔をあけて配設され、後壁１０１の壁材の所定位置に面接触した補強木３５（ひいては壁裏の建築部材）とフレーム本体部１５の横材１９（フレーム本体部１５の上端部側）とを連結する。
【００４６】
また、このとき、左右一対の連結部材３６の間の幅方向Ｔ２の間隔、及びフレーム本体部１５と後壁１０１の間の前後方向Ｔ１の間隔は、左右一対の連結部材３６の間を通してロータンク７を斜めにすることなく上下に出し入れできる寸法とされている。
【００４７】
さらに、連結部材３６が全ねじボルトであることにより、補強材３５とフレーム本体部１５の前後方向Ｔ１の間隔を自在に調節（調整）することが可能になる。これにより、フレーム本体部１５の設置位置ひいては便器本体４の設置位置を自在に調節することが可能になる。さらに、後壁１０１に不陸がある場合など、一対の連結部材３６の長さをそれぞれ調節することで、好適に補強材３５及びフレーム本体部１５を位置決めして配設することが可能になる。
【００４８】
固定具３７は、例えば、補強木３５の両端部側にそれぞれ接続し、補強木３５の各端部と建築部材（１０４、１０５、１０６）とを接続するための固定金具であり、補強木３５の一端部又は他端部に接続する補強木側接続部４０と、建築部材の壁材１０１を通じて壁裏に配された建築部材（補強下地１０５や柱側受け木１０６）に接続する壁側接続部４１と、建築部材の柱材（隅柱１０４）に接続する柱側接続部４２とを備えている。
【００４９】
さらに、本実施形態の左右一対の固定具３７はそれぞれ、水平の横方向に延設された補強木３５の前面に面接触してビス止め（又はボルト止め）して接続するための略平板状の補強木側接続部４０と、補強木側接続部４０から補強木３５の端部（側端部）を覆うように後方に延びる略平板状の段部４３と、段部４３から補強木３５の幅方向Ｔ２外側に延びる略平板状の壁側接続部４１と、壁側接続部４１から幅方向Ｔ２外側に向かうに従い漸次前方側に延びる、すなわち、斜めに延設された略平板状の柱側接続部４２と、柱側接続部４２から柱材（隅柱１０４）の側面に沿って前方に延びる添え板部４４とを備えて形成されている。
【００５０】
補強木側接続部４０と壁側接続部４１と柱側接続部４２にはそれぞれ、ビス（又はボルト）を挿通して補強木側接続部４０と壁側接続部４１と柱側接続部４２をそれぞれ補強木３５、又は建築部材（１０４、１０５、１０６）に接続するための複数の貫通孔が設けられている。
【００５１】
壁側接続部４１には、例えば、隣り合う一対の隅柱１０４に支持させて架設され、壁裏に配設された建築部材の補強下地（横受け木）１０５に接続するための複数の補強下地用の貫通孔４５と、隅柱１０４の柱材に取り付けて上下方向Ｔ３に延設された柱側受け木（縦受け木）１０６に接続するための複数の受け木用の貫通孔４６とが設けられている。
【００５２】
そして、例えば、補強木側接続部４０を補強木用の貫通孔４８にビスを挿通しつつ補強木３５の端部側に接続し、隅柱１０４に接続する際には、柱側接続部４２の貫通孔４７や壁側接続部４１の受け木用の貫通孔４６にビスを挿通しつつ柱側接続部４２を隅柱１０４に、壁側接続部４１を柱側受け木１０６に接続し、補強下地１０５に接続する際には、壁側接続部４１の補強下地用の貫通孔４５と受け木用の貫通孔４６にビスを挿通しつつ壁側接続部４１を補強下地１０５に接続し、固定具３７によって補強木３５を建築部材（１０４、１０５、１０６）に支持させて強固に設置する。
【００５３】
補強木３５に連結部材３６を介してフレーム本体部１５が接続することで、フレーム本体部１５の一対の縦材１７、１８に後端部側をボルト接続して便器本体４を設け、フレーム本体部１５の後方側にタンク支持部材２２を取り付け、ロータンク７を載置して設けた場合であっても、フレーム本体部１５ひいては固定フレーム８によって便器本体４、ロータンク７を好適に支持して配設することができる。
【００５４】
図３、図５に示すように、フレーム本体部１５に取り付けられた排水管接続部材２４の便器排水孔接続部２６に便器本体４の排水孔４ｂが嵌合して接続され、排水管接続部材２４の配管接続部２７ひいては便器本体４の排水孔４ｂと、排水本管１１とが、蛇腹管やエルボ管、直管などの配管２８を用い、また、床構造１０３の排水管挿通孔３２を通じて接続される。
【００５５】
トイレ用キャビネット３は、図１から図３に示すように、フレーム本体部１５に支持させ、便器本体４とフレーム本体部１５の間に後壁１０１と平行に配設されて化粧面を形成する前パネル３ａと、前パネル３ａと後壁１０１との間の空間を閉塞するカウンターパネル（天板）３ｂとを備えて構成されている。これにより、キャビネット３内に、固定フレーム８、ロータンク７等の給水部１０、配管２８等の排水部１２が収容される。
【００５６】
一方、本実施形態の壁掛け便器２においては、図６から図８に示すように、便器本体４に、第１防露部材（本発明に係る防露部材）５０と第２防露部材５１と第３防露部材５２とが取り付けられている。
【００５７】
第１防露部材５０は、最も結露が発生しやすく、水滴となって滴下しやすいトラップ部４ｄの下面を被覆するように下端側に取り付けられる防露部材である。
【００５８】
第１防露部材５０は、図３、図６、図７、図９に示すように、例えば、ＰＳ４０倍発泡（ＰＳ：ポリスチレン）の発泡体である防露部材本体５３と、防露部材本体５３に一体形成された保護カバー５４とを備えて構成されている。
【００５９】
防露部材本体５３は、上面から下方に凹み、トラップ部４ｄの下面を被覆するように配設される皿状部５３ａと、皿状部５３ａの前方と後方にそれぞれ設けられ、下面側から上方に凹む嵌合凹部５３ｂをそれぞれ有する前側嵌合部５３ｃ及び後側嵌合部５３ｄとを備えて形成されている。
【００６０】
保護カバー５４は、防露部材本体５３よりも硬質の樹脂（例えば、ＰＳ樹脂）で防露部材本体５３の皿状部５３ａの下面を被覆する皿状被覆部５４ａと、皿状被覆部５４ａの上端から横方向に突出するとともに周方向に延びて繋がるフランジ部５４ｂとを備えて形成されている。保護カバー５４は、皿状被覆部５４ａで皿状部５３ａの下面を被覆するようにして防露部材本体５３に一体に取り付けられている。
【００６１】
上記のように構成した第１防露部材５０は、便器本体４のトラップ部４ｄの前方と後方に上方に突出して設けられた前後一対の突部４ｆ、４ｇにそれぞれ前側嵌合部５３ｃ、後側嵌合部５３ｄの嵌合凹部５３ｂを嵌合して着脱可能に支持させ、皿状部５３ａでトラップ部４ｄの下面を被覆するように配設されている。
【００６２】
このように取り付けた状態で、第１防露部材５０は、便器本体４の凹部４ｃからトラップ部４ｄの表面全体を覆うように設けられている。すなわち、本実施形態では、図７に示すように、本実施形態の第１防露部材５０は、便器本体４の凹部４ｃを形成する前方側の先端側部分（符号４ｈで示す部分）から後方側の後端側部分（符号４ｉ）までの凹部４ｃの広範囲の表面を覆うように設けられて、トラップ部４ｄの表面全体を覆うように配設されている。また、このとき、第１防露部材５０は、トラップ部４ｄよりも前方側の便器本体４の下端４ｅよりも防露部材本体５３の皿状部５３ａ、ひいてはこの皿状部５３ａを被覆するように一体に設けられた保護カバー５４が下方に突出して配されるように形成（配設）されている。
【００６３】
第２防露部材５１は、図６、図１０に示すように、トラップ部４ｄの上方を被覆するように取り付けられる防露部材であり、例えば、発泡ＰＳシートを用い、さらに、片面側をトラップ部４ｄの表面に貼り付けられるように粘着面として形成されている。
【００６４】
第３防露部材５２は、図８に示すように、給水口周りの結露を防止するための防露部材であり、例えば、発泡ＰＳシートを用い、給水口周りに貼り付けて配設されている。
【００６５】
そして、上記構成からなる本実施形態の壁掛け便器２においては、防露部材本体５３と保護カバー５４からなる第１防露部材５０が、トラップ部４ｄよりも前方側の便器本体４の下端４ｅよりも防露部材本体５３の皿状部５３ａ、保護カバー５４が下方に突出して配設されている。
これにより、トラップ部４ｄを形成する便器本体４の凹部４ｃ内に外気が溜まりにくくなり、結果、効果的に結露の発生を抑止することが可能になる。
また、防露部材本体５３の皿状部５３ａ、保護カバー５４が下方に突出していることにより、便器本体４の見栄えをよくすることもできる。
【００６６】
また、第１防露部材５０が、便器本体４の凹部４ｃからトラップ部４ｄの表面全体を覆うように（便器本体４の凹部４ｃを形成する前方側の先端側部分（符号４ｈで示す部分）から後方側の後端側部分（符号４ｉ）までの凹部４ｃの広範囲の表面を覆うように）設けられていることにより、さらに効果的に結露の発生を抑止することが可能になる。
【００６７】
一方、第１防露部材５０の防露部材本体５３の皿状部５３ａが、トラップ部４ｄよりも前方側の便器本体４の下端４ｅよりも下方に突出していると、例えば、清掃の際にモップや雑巾などが当たり、ＰＳ４０倍発泡の発泡体（発泡スチロール）などの皿状部５３ａが破損してしまうおそれがある。
【００６８】
これに対し、本実施形態では、下方に突出する防露部材本体５３の皿状部５３ａを、防露部材本体５３よりも硬質の保護カバー５４で被覆しているため、防露部材本体５３の皿状部５３ａに破損が生じることを防止でき、好適に防露機能を発揮させることができる。また、保護カバー５４が防露部材本体５３に一体形成されていることにより、より確実に防露部材本体５３の破損を防止できる。
なお、保護カバー５４も防露性能を有しているため、保護カバー５４は、さらなる防露性能の向上にも寄与する。また、保護カバー５４が防露部材本体５３に一体形成されていることで、その効果が増大する。
【００６９】
また、保護カバー５４がフランジ部５４ｂを備えていることで、皿状部５３ａ、さらにその周囲の部分を保護することができ、より確実に防露部材本体５３の破損を防止することができる。
【００７０】
したがって、本実施形態の壁掛け便器２によれば、便器本体４の凹部４ｃに配設された防露部材５０によってより効果的に結露の発生を抑止できる。また、便器本体４の凹部４ｃに配設された防露部材５０の皿状部５３ａが下方に突出していることによって壁掛け便器２（便器本体４）の意匠性の向上を図ることが可能になる。
【００７１】
以上、本発明に係る壁掛け便器の一実施形態について説明したが、本発明は上記の一実施形態に限定されるものではなく、その趣旨を逸脱しない範囲で適宜変更可能である。
【符号の説明】
【００７２】
２  壁掛け便器（壁掛け式の便器装置）
４  便器本体
４ｃ  凹部
４ｄ  トラップ部
４ｅ  下端
４ｆ  突部
４ｇ  突部
７  ロータンク
８  固定フレーム
３０  下側接続部
３１  上側接続部
３５  補強木
３６  連結部材（全ねじボルト）
３７  固定具
５０  第１防露部材（防露部材）
５１  第２防露部材
５２  第３防露部材
５３  防露部材本体
５３ａ  皿状部
５３ｂ  嵌合凹部
５３ｃ  前側嵌合部
５３ｄ  後側嵌合部
５４  保護カバー
５４ａ  皿状被覆部
５４ｂ  フランジ部
１００  トイレルーム
１０１  後壁（壁材、建築部材）
Ｔ１  前後方向
Ｔ２  幅方向
Ｔ３  上下方向
【図１】
2020111922.tif 000003
【図２】
2020111922.tif 000004
【図３】
2020111922.tif 000005
【図４】
2020111922.tif 000006
【図５】
2020111922.tif 000007
【図６】
2020111922.tif 000008
【図７】
2020111922.tif 000009
【図８】
2020111922.tif 000010
【図９】
2020111922.tif 000011
【図１０】
2020111922.tif 000012